(57)【要約】【課題】特に壁面に取り付けたとしても煙の流入性の低下を防止して長時間にわたる正確な煙検出が可能になること。【解決手段】煙検出部が筐体の前面から突出して設けられる火災警報器において、前記煙検出部の煙流入口近傍に堆積した埃を除去する埃除去手段を、前記筐体の前面に可動可能に設けた。前記埃除去手段は、前記煙検出部の前面を覆い前記筐体の前面に可動可能に係合する保護部材と、前記保護部材と煙検出部との間に設けられて、前記保護部材が押圧操作されたときに、エアーを煙流入口近傍に吐出するエアーブロアと、を備える。前記保護部材は、点検スイッチ又は音響停止スイッチを押圧操作可能である。【選択図】図２
2009301465.tif 000002
【特許請求の範囲】
【請求項１】
煙検出部が筐体の前面から突出して設けられる火災警報器において、
前記煙検出部の煙流入口近傍に堆積した埃を除去する埃除去手段を、前記筐体の前面に可動可能に設けたことを特徴とする火災警報器。
【請求項２】
前記埃除去手段は、前記煙検出部の前面を覆い前記筐体の前面に可動可能に係合する保護部材と、前記保護部材と煙検出部との間に設けられて、前記保護部材が押圧操作されたときに、エアーを煙流入口近傍に吐出するエアーブロアと、を備えることを特徴とする請求項１記載の火災警報器。
【請求項３】
前記保護部材は、点検スイッチ又は音響停止スイッチを押圧操作可能であることを特徴とする請求項１又は２記載の火災警報器。
【発明の詳細な説明】
【技術分野】
【０００１】
本発明は、煙検出部が筐体の前面から突出して設けられる火災警報器に関するものである。
【背景技術】
【０００２】
従来、煙検出部が筐体の前面から突出して設けられる火災警報器が知られている。煙検出部は、内部に検煙空間が設けられ、その周囲に設けられた煙流入口から検煙空間に流入した煙による発光素子からの光の散乱光を受光素子で受光し、受光出力が所定煙濃度以上を示す値になれば火災警報をするように構成されている（例えば、特許文献１、参照）。
【特許文献１】特開２００７‐２８６７９５号公報
【発明の開示】
【発明が解決しようとする課題】
【０００３】
上記のような火災警報器は天井面や壁面などの設置面に取り付けられて使用されるが、煙検出部が筐体の前面から突出して設けられる構成のため、特に壁面に取り付けて長時間使用すると、煙流入口の上部に埃等が堆積し、この埃によって煙検出部内への煙の流入性が低下してしまうという問題があった。
【０００４】
本発明は、前記問題点に鑑みてなされたものであり、その目的は、特に壁面に取り付けたとしても煙の流入性の低下を防止して長時間にわたる正確な煙検出が可能になる火災警報器を提供することにある。また、ユーザに定期的な煙検出部の掃除を行わせることにある。
【課題を解決するための手段】
【０００５】
この発明は、煙検出部が筐体の前面から突出して設けられる火災警報器において、前記煙検出部の煙流入口近傍に堆積した埃を除去する埃除去手段を、前記筐体の前面に可動可能に設けたことを特徴とする。
【０００６】
また、前記埃除去手段は、前記煙検出部の前面を覆い前記筐体の前面に可動可能に係合する保護部材と、前記保護部材と煙検出部との間に設けられて、前記保護部材が押圧操作されたときに、エアーを煙流入口近傍に吐出するエアーブロアと、を備えることを特徴とする。
【０００７】
また、前記保護部材は、点検スイッチ又は音響停止スイッチを押圧操作可能であることを特徴とする。
【発明の効果】
【０００８】
本発明は、煙検出部が筐体の前面から突出して設けられる火災警報器において、前記煙検出部の煙流入口近傍に堆積した埃を除去する埃除去手段を、前記筐体の前面に可動可能に設けるようにしたので、埃除去手段を可動させることによって、煙検出部の煙流入口近傍に埃が堆積し続けることを防止することが可能になるため、特に壁面に取り付けたとしても煙の流入性の低下を防止して長時間にわたる正確な煙検出が可能になる。また、埃除去手段を筐体前面から可動させることができるので、ユーザは操作しやすい。
【０００９】
また、前記埃除去手段は、前記煙検出部の前面を覆い前記筐体の前面と可動可能に係合する保護部材と、前記保護部材と煙検出部との間に設けられて、前記保護部材が押圧操作されたときに、エアーを煙流入口近傍に吐出するエアーブロアと、を備えるようにしたので、火災警報器の一番前面側に位置して操作しやすい保護部材を押圧操作するだけで、埃を除去することができる。
【００１０】
また、前記保護部材は、点検スイッチ又は音響停止スイッチを押圧操作可能であるようにしたので、筐体を大きくすることなく、大きくて押しやすい点検又は音響停止用釦を形成することができる。また、点検又は音響停止用スイッチを押圧操作する専用の釦をなくすことができる。さらに、定期的に火災警報器の点検を行うことで、ユーザは意図することなく、定期的に埃を除去することができる。
【発明を実施するための最良の形態】
【００１１】
以下に、本発明の第１実施例を図１〜図６を参照して詳細に説明する。図１は本発明の実施例１を示す火災警報器の正面図、図２は図１のＡ−Ａ断面図、図３は図２の保護部材を押圧操作した状態を示す図、図４は煙検出部の内部構造を示す図、図５は火災警報器の構成を示すブロック図、図６は火災警報器の動作を示すフローチャートである。
【００１２】
火災警報器は、警報器本体１と、設置面としての壁面Ｍに取り付けられて警報器本体１が着脱可能に装着される取付ベース２１と、によって筐体Ｋが構成されている。警報器本体１は、本体部２と、この本体部２に複数のねじ（図示せず）により一体に結合された保護カバー１１とからなっている。
【００１３】
取付ベース２１は、円板状の基板２２、基板２２の外周縁の本体部２側に設けられた周壁２３とからなり、周壁２３には本体部２との係合用の刃受部（図示せず）が設けられている。
【００１４】
本体部２は、円板状の基板３とその外周縁の背面側に立設された周壁４とからなり、周壁４には取付ベース２１との係合用の刃部（図示せず）が設けられている。
【００１５】
保護カバー１１は、中央を開口するリング状の前面壁１２と、その外周縁に設けられた周壁１３とからなり、内部には回路基板５が設置されている。回路基板５には、中央に煙検出部１６が取り付けられ、上部に音響部としてのスピーカ１７が取り付けられ、下部に点検兼音響停止用スイッチ１８及び表示灯５７が取り付けられて、煙検出部１６は前面壁１２の中央開口から突出して設けられている。また、前面壁１２には、スピーカ１７に対応して音響孔１４が上部に設けられ、また、表示灯５７に対応して表示灯用穴１９が下部に設けられている。
【００１６】
煙検出部１６は、円筒状で内部に検煙空間Ａを有し、側面外周に煙流入口Ｂを備えており、前面を開口する円筒状の光学台４３と、光学台４３の開口を覆う光学台カバー４５とにより構成されている。光学台４３の水平断面図として図４に示されるように、煙検出部１６の内部には発光素子４０と受光素子４１とが各々の光軸をずらして配置され、各々の光軸の交差点付近が検煙空間Ａを形成している。また、検煙空間Ａの周囲には略Ｊ字状のラビリンス部材４２が所定間隔を有して形成されて、ラビリンス部材４２間に煙流入口Ｂが形成されている。また、ラビリンス部材４２により検煙空間Ａに煙は流入するものの外光は入射しないようになっている。従って、火災等により生じた煙は煙検出部１６の煙流入口Ｂを介して検煙空間Ａに流入することができ、発光素子４１からの光の散乱光を受光素子４２で受光して、受光出力が所定煙濃度以上を示す値になれば火災警報をすることができる。
【００１７】
また、煙流入口Ｂの外周には、虫や埃等の流入を防止するための防虫網４８が設けられている。防虫網４８は、光学台４３及び光学台カバー４５の外周に設けられた溝４４、４６内に収納されている。
【００１８】
煙検出部１６の前面側には、煙検出部１６の前面を覆い筐体Ｋの前面に可動可能に係合する保護する保護部材３１が設けられている。保護部材３１は、煙検出部１６の前面を覆う円板状の板状部３２と、該板状部３２の外周縁から保護カバー１１側に垂設されて、前面壁１２の内周側に設けられた係合孔１５に係合する複数の脚部３３とから構成されている。複数の脚部３３は、板状部３２の外周縁に等間隔に、例えば、上下左右に４つ設けられている。ここで、下部の脚部３３ａは、点検兼音響停止用スイッチ１８に対応した下部の係合孔１５ａに係合して、点検兼音響停止用スイッチ１８の前面に臨むように設けられている。詳細は後述するが、保護部材３１は押圧操作されることによって、点検兼音響停止用スイッチ１８をオン操作する点検兼音響停止用釦として機能する。このように、筐体Ｋの前面中央に設けられた大きな保護部材３１を点検兼音響停止用釦としても機能させることにより、専用の釦をなくして、筐体Ｋを大きくすることなく、大きくて押しやすい点検又は音響停止用釦を形成することができる。
【００１９】
保護部材３１と煙検出部１６との間には、複数の吐出口３５を有するエアーブロア３４が設けられている。図２に示されるように、複数の吐出口３５は、光学台カバー４５に対応して設けられた挿通孔４７を挿通されて、煙流入口Ｂと防虫網４８との間に位置しており、保護部材３１が押圧操作されたときに、エアーを煙流入口Ｂ近傍に吐出する。図１に示されるように、複数の吐出口３５は、埃が堆積しやすい煙検出部１６の上部のみに設ける構成としているが、煙検出部１６の外周全体に設ける構成としてもよい。なお、保護部材３１とエアーブロア３４とは、埃除去手段３０を構成する。
【００２０】
図２に示すように、保護部材３１を押圧操作していない通常状態では、エアーブロア３４は内部にエアーを取り込んだ膨張状態で保持されていて、その吐出口３５からエアーを吐出しておらず、また、保護部材３１は複数の脚部３３の先端側に設けられた爪部が前面壁１２の背面側に当接して係止している。
【００２１】
一方、図３に示すように、煙検出部１６の煙流入口Ｂ近傍に堆積した埃を除去するために、ユーザが保護部材３１を押圧操作した状態では、エアーブロア３４が押圧されて縮小することによって、煙流入口Ｂと防虫網４８との間に内部のエアーが吐出口３５から吐出される。これによって、煙流入口Ｂの近傍、具体的には、防虫網４８の外周面に堆積した埃は、内周面側からのエアーによって吹き上げられて外周面から除去されるので、煙の流入性の低下を防止して長時間にわたる正確な煙検出が可能になる。なお、吐出口３５の位置としては上記に限定されず、例えば、吐出口３５を防虫網４８の外周面側に設けて、エアーを外周面と略平行に吐出するようにして、埃を除去するようにしてもよく、また、吐出口３５によって煙検出部１６（検煙空間Ａ）内部にエアーを吐出する構造として、煙検出部１６内部に堆積した埃を除去するとともに、煙検出部１６内部からのエアーが煙流入口Ｂを介して防虫網４８に堆積した埃を除去するようにしてもよい。
【００２２】
また、保護部材３１の押圧操作によって、下部の脚部３３ａが点検兼音響停止スイッチ１８に当接して、点検兼音響停止スイッチ１８がオン操作されて、上記した埃の除去と同時に、火災警報器の点検が行われる。そのため、定期的に火災警報器の点検を行うことで、ユーザは意図することなく、定期的に埃を除去することができる。
【００２３】
以上のような構成の火災警報器は、設置面としての壁面Ｍに取付ベース２１を螺着などにより取り付け、警報器本体１を取付ベース２１にあてがって、ついで、警報器本体１を周方向に回転させて刃部（図示せず）を取付ベース２１の刃受部（図示せず）に係止させて、取付ベース２１に装着することで壁面Ｍに固定される。
【００２４】
つぎに、この火災警報器の回路構成について説明する。図５は火災警報器の構成を示すブロック図、図６は火災警報器の動作を示すフローチャートである。
【００２５】
図５において、５０は火災警報器を構成する各部に電源を供給する電池、５１は点検部６０と記憶部６１とを有し、火災警報器全体を制御する制御部、５２は電池５０から電源供給されて制御部５１等に定電圧を供給する定電圧回路、５３は発光素子４０と発光回路５４とを有し、制御部５１からの発光制御命令を受けて発光回路５４が発光素子４０を発光させて検煙空間Ａに向けて光を照射する発光部、５６は受光素子４１と増幅回路５５とを有し、検煙空間Ａに煙が流入することによって生じる散乱光を受光素子４１で受光し、その受光出力を増幅回路５５で増幅して制御部５１に出力する受光部である。
【００２６】
また、５７は前述の表示灯、５８は制御部５１からの各種の点灯制御命令を受けて表示灯５７に対応する点灯動作を行わせる表示灯回路、１７は音響部としての前述のスピーカ、５９は制御部５１からの各種の発音制御命令を受けてスピーカ１７から対応する音響を出力させる音声合成回路、１８は前述の点検兼音響停止用スイッチであり、通常状態では点検用スイッチとして機能し、火災警報状態では音響停止用スイッチとして機能する。
【００２７】
なお、発光部５３および受光部５６は図２の煙検出部１６を構成し、また、制御部５１、定電圧回路５２、表示灯５７、表示灯回路５８、および音声合成回路５９は回路基板５に搭載されている。そして、電池５０は、例えば図２の警報器本体１内に収納されている。
【００２８】
つぎに、図６のフローチャートに先立って、制御部５１による点検処理について説明する。前述したように、通常状態でオン操作されることによって、点検兼音響停止用スイッチ１８は点検用スイッチ１８として機能し、制御部５１は点検部６０の点検機能により、点検処理として、煙検出部１６の異常検出処理と、電池５０の電圧値異常検出処理を行う。煙検出部１６の異常検出処理としては、煙検出部１６の出力値監視処理を行い、詳細には説明しないが、制御部５１は、発光制御命令により発光素子４０を発光させて、受光素子４１の受光出力（増幅回路５５で増幅した出力値）を入力し、この煙のない状態での出力値が異常を示す上限値及び下限値の範囲外であれば、出力値異常と判断する。また、電池５０の電圧値異常検出処理としては、詳細には説明しないが、制御部５１は、電池５０の出力電圧値を入力し、この電圧値が下限値以下であれば、電圧値異常（電池寿命到来）と判断する。
【００２９】
図６は火災警報器の動作を示すフローチャートである。まず、詳細には説明しないが、電池５０のコネクタ（図示せず）が回路基板５のコネクタ（図示せず）に接続されることによって、電源がオンされると（S１）、各種の初期設定を行ってから（S２）、つぎに火災判定処理を行う（Ｓ３）。火災判定処理としては、詳細には説明しないが、制御部５１からの発光制御命令を受けて発光回路５４が発光素子４０を発光させて検煙空間Ａに向けて光を照射し、また、検煙空間Ａに煙が流入することによって生じる散乱光を受光素子４１が受光し、その受光出力を増幅回路５５で増幅して制御部５１に出力し、制御部５１は受光増幅出力が所定煙濃度以上を示す値になっているかどうかを判別することによって、火災かどうかを判定する。
【００３０】
そして、火災であれば（Ｓ４）、例えば、「火事です  火事です。」などの火災警報音を音響部１７から出力させたり、表示灯５７を点灯させるなどの火災警報処理を行う（Ｓ８）。そして、この状態で、点検兼音響停止用スイッチ１８がオンされると（Ｓ９）、該スイッチ１８が音響停止用スイッチとして機能して、音響部１７を警報音停止状態とし、また、表示灯５７を消灯状態とする火災警報停止処理を行ってから（Ｓ１０）、ステップＳ５へ進む。
【００３１】
一方、火災でなければ（Ｓ４）、ステップＳ８からステップＳ１０の動作を行うことなく、ステップＳ５へ進んで、点検兼音響停止用スイッチ１８の状態を判断する。ここで、点検兼音響停止用スイッチ１８がオフであれば（Ｓ５）、ステップＳ３へ戻り、以降、ステップＳ３〜Ｓ１０の動作を繰り返す。また、点検兼音響停止用スイッチ１８がオンであれば（Ｓ５）、該スイッチ１８が点検用スイッチとして機能して、前述したような点検処理、例えば、煙検出部１６の異常検出処理と、電池５０の電圧値異常検出処理とを行う（Ｓ６）。そして、点検結果警報処理として点検結果を警報してから（Ｓ７）、ステップＳ３へ戻り、以降、ステップＳ３〜Ｓ１０の動作を繰り返す。なお、点検結果警報処理としては、詳細には説明しないが、正常であれば、例えば、「正常です。」などの正常警報音を音響部１７から所定回数出力させたり、表示灯５７を所定時間点灯させるなどの正常警報処理を行う。異常であれば、例えば、「異常です。」などの異常警報音を音響部１７から所定回数出力させたり、表示灯５７を所定時間点滅させるなどの異常警報処理を行う。
【００３２】
以上の通り、煙検出部１６が筐体Ｋの前面から突出して設けられる火災警報器において、煙検出部１６の煙流入口Ｂ近傍に堆積した埃を除去する埃除去手段３１、３４を、筐体Ｋの前面に可動可能に設けるようにしたので、埃除去手段３１、３４を可動させることによって、煙検出部１６の煙流入口Ｂ近傍に埃が堆積し続けることを防止することが可能になるため、特に壁面Ｍに取り付けたとしても煙の流入性の低下を防止して長時間にわたる正確な煙検出が可能になる。また、埃除去手段３１、３４を筐体Ｋ前面から可動させることができるので、ユーザは操作しやすい。
【００３３】
また、埃除去手段３１、３４は、煙検出部１６の前面を覆い筐体Ｋの前面と可動可能に係合する保護部材３１と、保護部材３１と煙検出部１６との間に設けられて、保護部材３１が押圧操作されたときに、エアーを煙流入口Ｂ近傍に吐出するエアーブロア３４と、を備えるようにしたので、火災警報器の一番前面側に位置して操作しやすい保護部材３１を押圧操作するだけで、埃を除去することができる。
【００３４】
また、保護部材３１は、点検スイッチ又は音響停止スイッチ１８を押圧操作可能であるようにしたので、筐体Ｋを大きくすることなく、大きくて押しやすい点検又は音響停止用釦を形成することができる。また、点検又は音響停止用スイッチ１８を押圧操作する専用の釦をなくすことができる。さらに、定期的に火災警報器の点検を行うことで、ユーザは意図することなく、定期的に埃を除去することができる。
【図面の簡単な説明】
【００３５】
【図１】本発明の実施例１を示す火災警報器の正面図。
【図２】図１のＡ−Ａ断面図。
【図３】図２の保護部材を押圧操作した状態を示す図。
【図４】煙検出部の内部構造を示す図。
【図５】図１の火災警報器の構成を示すブロック図。
【図６】図５の火災警報器の動作を示すフローチャート。
【符号の説明】
【００３６】
１  警報器本体、２  本体部、３  基板、４  周壁、５  回路基板、１１  保護カバー、１２  前面壁、１３  周壁、１４  音響孔、１５  係合孔、１５ａ  下部の係合孔、１６  煙検出部、１７  音響部、１８  点検兼音響停止用スイッチ、１９  表示灯用穴、２１  取付ベース、２２  基板、２３  周壁、３０  埃除去手段、３１  保護部材、３２  板状部、３３  脚部、３３ａ  下部の脚部、３４  エアーブロア、３５  吐出口、４０  発光素子、４１  受光素子、４２  ラビリンス部材、４３  光学台、４４  溝、４５  光学台カバー、４６  溝、４７  挿通孔、４８  防虫網、５０電池、５１  制御部、５２  定電圧回路、５３  発光部、５４  発光回路、５５  増幅回路、５６  受光部、５７  表示灯、５８  表示灯回路、５９  音声合成回路、６０  点検部、６１  記憶部、Ａ  検煙空間、Ｂ  煙流入口、Ｋ  筐体、Ｍ  壁面（設置面）。
【図１】
2009301465.tif 000003
【図２】
2009301465.tif 000004
【図３】
2009301465.tif 000005
【図４】
2009301465.tif 000006
【図５】
2009301465.tif 000007
【図６】
2009301465.tif 000008